(57)【要約】【課題】  湖沼などの閉鎖性水域では、水中の貧酸素による水生生物の生息環境の悪化や、ヒシなど水草の大量繁茂による景観悪化、大量の水草が腐敗しての悪臭発生や溶存酸素の消費などの問題が発生している。本発明は、生態系に悪影響を与えない、省エネルギー・低コストの水環境の改善方法を提供し、前記の問題を解決する。【解決手段】  湖沼など閉鎖性水域において、特定の水生生物の生育期間や生育環境に合わせて、水門などの排水部の排水量を増減して水深を調整し、底部への太陽光の取り込み量を増やしたり、水域の周囲に干潟部を形成したり、特定の水草の大量繁茂を抑制したりするなどの水環境の改善方法。【選択図】図１
2016068068.tif 000002
【特許請求の範囲】
【請求項１】
湖沼などの閉鎖性水域において、前記水域に生育する沈水植物や藻類、植物プランクトンなど光合成生物の生育又は繁殖の期間に合わせ、前記水域に設けた水門などの排水部を開けて排水量を増やし、前記水域の水深を浅くすることで前記水域の底部への太陽光の取り込み量を増やし、前記水域の底部における光合成生物の活性化を促して、前記水域の底部における貧酸素状態を解消することを特徴とする水環境の改善方法。
【請求項２】
湖沼などの閉鎖性水域において、前記水域に設けた水門などの排水部を開閉して排水量を増減し、前記水域の周囲に干潟部を形成し、前記干潟部への空気中の酸素の取り込み量を調整して、前記干潟部における動物プランクトンや小動物、魚介類などの水生生物の活性化を促して、水生生物による水質の浄化を図ることを特徴とする水環境の改善方法。
【請求項３】
湖沼などの閉鎖性水域において、前記水域に生育する抽水植物、浮葉植物、沈水植物、浮遊植物などの水草の生育又は繁茂の期間に合わせ、前記水域に設けた水門などの排水部の開閉により排水量を増減し、前記水域の水深を調整し、前記水域に生育する特定の水草の生育、繁茂を抑制する、又は前記水域に生育する特定の水草を優勢的に生育、繁茂させて他の水草の大量繁茂を抑制することを特徴とする水環境の改善方法。
【発明の詳細な説明】
【技術分野】
【０００１】  本発明は、湖沼などの閉鎖性水域における湖底の貧酸素対策や水草の繁茂対策、及び水質浄化など、水環境の改善の技術に関するものである。
【背景技術】
【０００２】  わが国の湖沼などの閉鎖性水域の水質は、湖底の貧酸素の拡大による魚介類など水生生物の生息環境の悪化や、ヒシなど水草の大量繁茂による船の航行支障や景観悪化、及び枯れたヒシなど水草が腐敗しての悪臭発生や溶存酸素の消費など新たな課題も見られ、社会的な問題となっている。しかしながら、有効な対策がないのが現状である。【０００３】  湖沼などの閉鎖性水域の貧酸素を解消する従来技術としては、下層部の貧酸素塊を曝気する、又は溶存酸素を消費する腐敗性の汚泥を浚渫（除去）する、又は湖底を覆砂して底質の改善を図るなどの方法があるが、いずれの方法も莫大なエネルギーとコストがかかり、有効な対策技術になり得ていない。また、ヒシなど水草の大量繁茂の対策についても有効な技術がなく、刈り取り作業で対応しているのが現状であり、刈り取りの労力、及び刈り取り後の水草の収集・運搬・処分に莫大なコストがかかっている。
【発明の概要】
【発明が解決しようとする課題】
【０００４】  本発明は上述の問題に鑑みてなされたものであり、本発明の目的は、生態系に悪影響を与えない、省エネルギー・低コストの水環境改善技術を提供し、湖沼などの閉鎖性水域における湖底の貧酸素や水草の大量繁茂、水質の悪化などの問題を解決することにある。
【課題を解決するための手段】
【０００５】  湖底の貧酸素や水草の大量繁茂、水質の悪化などの問題を解決するための手段として、請求項１、２、３に記載の水環境の改善の方法を用いる。【０００６】  請求項１に記載の水環境の改善方法は、湖沼などの閉鎖性水域において、前記水域に生育する沈水植物や藻類、植物プランクトンなど光合成生物の生育又は繁殖の期間に合わせ、前記水域に設けた水門などの排水部を開けて排水量を増やし、前記水域の水深を浅くすることで前記水域の底部への太陽光の取り込み量を増やし、前記水域の底部における光合成生物の活性化を促して、前記水域の底部における貧酸素状態を解消する。【０００７】  請求項２に記載の水環境の改善方法は、湖沼などの閉鎖性水域において、前記水域に設けた水門などの排水部を開閉して排水量を増減し、前記水域の周囲に干潟部を形成し、前記干潟部への空気中の酸素の取り込み量を調整して、前記干潟部における動物プランクトンや小動物、魚介類などの水生生物の活性化を促して、水生生物による水質の浄化を図る。【０００８】  請求項３に記載の水環境の改善方法は、湖沼などの閉鎖性水域において、前記水域に生育する抽水植物、浮葉植物、沈水植物、浮遊植物などの水草の生育又は繁茂の期間に合わせ、前記水域に設けた水門などの排水部の開閉により排水量を増減し、前記水域の水深を調整し、前記水域に生育する特定の水草の生育、繁茂を抑制する、又は前記水域に生育する特定の水草を優勢的に生育、繁茂させて他の水草の大量繁茂を抑制する。
【発明の効果】
【０００９】  本発明は、次の作用によって、生態系に悪影響を与えることなく、省エネルギー・低コストであって、水環境の改善の効果を奏する。【００１０】  請求項１に記載の水環境の改善方法は、湖沼などの閉鎖性水域において、前記水域に生育する沈水植物や藻類、植物プランクトンなど光合成生物の生育又は繁殖の期間に合わせ、前記水域に設けた水門などの排水部を開けて排水量を増やし、前記水域の水深を浅くすることで前記水域の底部への太陽光の取り込み量を増やし、前記水域の底部における光合成生物の活性化を促して、前記水域の底部における貧酸素状態を解消することができる。【００１１】  請求項２に記載の水環境の改善方法は、湖沼などの閉鎖性水域において、前記水域に設けた水門などの排水部を開閉して排水量を増減し、前記水域の周囲に干潟部を形成し、前記干潟部への空気中の酸素の取り込み量を調整して、前記干潟部における動物プランクトンや小動物、魚介類などの水生生物の活性化を促して、水生生物による水質の浄化を図ることができる。【００１２】  請求項３に記載の水環境の改善方法は、湖沼などの閉鎖性水域において、前記水域に生育する抽水植物、浮葉植物、沈水植物、浮遊植物などの水草の生育又は繁茂の期間に合わせ、前記水域に設けた水門などの排水部の開閉により排水量を増減し、前記水域の水深を調整し、前記水域に生育する特定の水草の生育、繁茂を抑制する、又は前記水域に生育する特定の水草を優先的に生育、繁茂させて他の水草の大量繁茂を抑制することができる。
【図面の簡単な説明】
【００１３】
【図１】請求項１、２、３に記載の水環境の改善方法の代表的な実施の形態を示す説明図（概略縦断面図）である。
【発明を実施するための形態】
【００１４】  次に、本発明を実施するための形態について、請求項１，２，３に記載の水環境の改善方法の好適な実施の形態を挙げ、図１に基づいて説明する。
【００１５】  請求項１に記載する水環境の改善方法の実施の形態は、陸域１の河川２から流れ込む流入水と、水門３で堰き止められた貯留水によって形成される閉鎖性水域４において、前記水域４に生育する沈水植物や藻類、植物プランクトンなど光合成生物５の生育が活発になる時期に合わせ、前記水域４に設けた水門３の排水部６を開けて排水量を増やし、前記水域４の水面ａを水面ｂまで下げて水深を浅くすることで前記水域４の底部７への太陽光８の取り込み量を増やし、前記水域４の底部７における光合成生物５の活性化を促して酸素の放出量を増加させ、前記水域４の底部７における貧酸素状態を解消することを特徴とする。
【００１６】  請求項２に記載する水環境の改善方法の実施の形態は、陸域１の河川２から流れ込む流入水と、水門３で堰き止められた貯留水によって形成される閉鎖性水域４において、前記水域４に設けた水門３の排水部６を開閉して排水量を増減し、前記水域４の周囲に干潟部９を形成し、前記干潟部９への空気中の酸素の取り込み量を調整して、前記干潟部９における動物プランクトンや小動物、魚介類などの水生生物の活性化を促して、水生生物による水質の浄化を図ることを特徴とする。この場合の干潟部９を形成する干満の周期は、その時期の天候、気温、湿度を考慮するが、概ね１〜３日とする。
【００１７】  請求項３に記載する水環境の改善方法の実施の形態は、陸域１の河川２から流れ込む流入水と、水門３で堰き止められた貯留水によって形成される閉鎖性水域４において、前記水域４に生育する抽水植物、浮葉植物、沈水植物、浮遊植物などの水草の生育又は繁茂の期間に合わせ、前記水域４に設けた水門３の排水部６の開閉により排水量を増減し、前記水域４の水深を調整し、前記水域４に生育する特定の水草の生育、繁茂を抑制する、又は前記水域４に生育する特定の水草を優勢的に生育、繁茂させて他の水草の大量繁茂を抑制することを特徴とする。この方法を用いて浮葉植物のヒシの繁茂を抑制する場合は、ヒシの生育又は繁茂の期間、前記水域４におけるヒシの繁茂の抑制領域の水深を２．５ｍ以上に上げて、ヒシがしっかり根を張り安定的に生育することができない環境を形成する。また、この方法を用いてヒシの繁茂を抑制するとともに沈水植物を優先的に生育させる場合は、ヒシの生育又は繁茂の期間以外は水面ａを水面ｂまで下げて水深を浅くし、前記水域４の底部７への太陽光８の取り込み量を増やし、沈水植物の光合成の活性化を促す。
【符号の説明】
【００１８】  １  陸域
２  河川
３  水門
４  閉鎖性水域
５  光合成生物
６  排水部
７  底部
８  太陽光
９  干潟部
水面ａ
水面ｂ
【図１】
2016068068.tif 000003